(57)【要約】【課題】作業性や安全性を損なうことなく支柱に対するアンテナの設置角度を大きく設定することができるアンテナ用チルト上段金具を提供すること。【解決手段】支柱側上段金具１１と、アンテナ側上段金具１２と、調節金具１３とを備え、アンテナ側上段金具１２の両側面と調節金具１３の両側面には、それぞれ、角度設定用ボルト５ａが通される複数の角度設定用ボルト孔を形成する一方、アンテナ側上段金具１２の底面と調節金具１３の底面には、それぞれ、金具落下防止ボルト受け片を設け、アンテナ側上段金具１２の両側面と調節金具１３の両側面に角度設定用ボルトを挿入して支柱側上段金具１１と調節金具１３とアンテナ側上段金具１２を連結する際に、各金具落下防止ボルト受け片の金具落下防止ボルト孔に金具落下防止ボルト６ａを通して金具落下防止ナット６ｂを装着しておく。【選択図】図２
2015115619.tif 000002
【特許請求の範囲】
【請求項１】
支柱に所定の角度でアンテナを取り付けるためアンテナ用チルト下段金具と共に用いられるアンテナ用チルト上段金具であって、
両側面とその間に底面を有し、支柱に取り付けられる支柱側上段金具と、
両側面とその間に底面を有し、アンテナに取り付けられるアンテナ側上段金具と、
両側面とその間に底面を有し、支柱側上段金具とアンテナ側上段金具とを連結する調節金具とを備え、
前記調節金具の両側面と、前記支柱側上段金具または前記アンテナ側上段金具の少なくともいずれか一方の金具の両側面とには、それぞれ、支柱に対しアンテナを所定角度毎に取り付けるため所定間隔毎に、支柱とアンテナとを含む平面に対し垂直方向を向く角度設定用ボルトを通す複数の角度設定用ボルト孔が形成されている一方、
前記調節金具の底面と、前記支柱側上段金具または前記アンテナ側上段金具の少なくともいずれか一方の金具の底面とには、それぞれ、金具落下防止ボルト受け片が立設されており、各金具落下防止ボルト受け片には、それぞれ、支柱とアンテナとを含む平面に対し平行方向を向く金具落下防止ボルトを通すための金具落下防止ボルト孔が形成されていることを特徴とするアンテナ用チルト上段金具。
【請求項２】
請求項１記載のアンテナ用チルト上段金具において、
前記金具落下防止ボルト受け片は、それぞれ、
前記調節金具の底面と、前記支柱側上段金具または前記アンテナ側上段金具の少なくともいずれか一方の金具の底面を切り起こして設け、その金具落下防止ボルト受け片を切り起こした後に前記金具落下防止ボルトを回転させる工具が通る大きさの開口部を設けることを特徴とするアンテナ用チルト上段金具。
【請求項３】
請求項２記載のアンテナ用チルト上段金具において、
前記金具落下防止ボルトに螺合する金具落下防止ナットが取り付けられる側の金具落下防止ボルト受け片には、その金具落下防止ボルト受け片の端部に当接して回転を防止する回転防止金具を介し金具落下防止ナットを金具落下防止ボルトに螺合させてその金具落下防止ナットが回転しないようにして、前記金具落下防止ボルトの頭部側を回転させるようにしたことを特徴とするアンテナ用チルト上段金具。
【請求項４】
請求項１〜３のいずれか一の請求項に記載のアンテナ用チルト上段金具において、
前記調節金具の両側面と、前記アンテナ側上段金具の両側面とに、それぞれ、複数の角度設定用ボルト孔が形成されている一方、
前記調節金具の底面と、前記アンテナ側上段金具の底面とには、それぞれ、金具落下防止ボルト受け片が立設されており、各金具落下防止ボルト受け片には、それぞれ、前記金具落下防止ボルト孔が形成されていることを特徴とするアンテナ用チルト上段金具。
【請求項５】
請求項１〜３のいずれか一の請求項に記載のアンテナ用チルト上段金具において、
前記調節金具の両側面と、前記支柱側上段金具の両側面とに、それぞれ、複数の角度設定用ボルト孔が形成されている一方、
前記調節金具の底面と、前記支柱側上段金具の底面とには、それぞれ、金具落下防止ボルト受け片が立設されており、各金具落下防止ボルト受け片には、それぞれ、前記角度設用金具落下防止ボルト孔が形成されていることを特徴とするアンテナ用チルト上段金具。
【発明の詳細な説明】
【技術分野】
【０００１】
本発明は、支柱に所定の角度範囲でアンテナを取り付けるためアンテナ用チルト下段金具と共に用いられるアンテナ用チルト上段金具に関する。
【背景技術】
【０００２】
本件出願人は、支柱に所定の角度範囲でアンテナを取り付けるためアンテナ用チルト下段金具と共に用いられるアンテナ用チルト上段金具として従来から出願している（例えば、特許文献１参照。）。
【先行技術文献】
【特許文献】
【０００３】
【特許文献１】特開２０１１−７１６１８号公報
【特許文献２】特開２０１２−３４０８８号公報
【発明の概要】
【発明が解決しようとする課題】
【０００４】
ところで、近年は、携帯電話や無線データ通信の需要が増大しており、支柱に対するアンテナの設置角度を大きくして、支柱に対するアンテナの電波の照射エリアを狭くすることが要求されている。
【０００５】
しかしながら、上述の特許文献１，２に記載されたアンテナ用チルト上段金具では、支柱に対し±５度程度の小さく角度でアンテナを取り付けることができるが、それ以上の大きな角度で取り付けるには適さない構造で、近年の携帯電話会社や通信会社の要求に答えることができない可能性があった。
【０００６】
また、支柱に対するアンテナの設置角度を大きく設定するために金具の部品点数を増大させた場合、アンテナの設置作業が高所での作業であるため、作業性や安全性が問題になる。
【０００７】
そこで、本発明は、このような問題点に着目してなされたもので、作業性や安全性を損なうことなく支柱に対するアンテナの設置角度を大きく設定することができるアンテナ用チルト上段金具を提供することを目的とする。
【課題を解決するための手段】
【０００８】
前記課題を解決するため、本発明に係るアンテナ用チルト上段金具は、支柱に所定の角度でアンテナを取り付けるためアンテナ用チルト下段金具と共に用いられるアンテナ用チルト上段金具であって、両側面とその間に底面を有し、支柱に取り付けられる支柱側上段金具と、両側面とその間に底面を有し、アンテナに取り付けられるアンテナ側上段金具と、両側面とその間に底面を有し、支柱側上段金具とアンテナ側上段金具とを連結する調節金具とを備え、前記調節金具の両側面と、前記支柱側上段金具または前記アンテナ側上段金具の少なくともいずれか一方の金具の両側面とには、それぞれ、支柱に対しアンテナを所定角度毎に取り付けるため所定間隔毎に、支柱とアンテナとを含む平面に対し垂直方向を向く角度設定用ボルトを通す複数の角度設定用ボルト孔が形成されている一方、前記調節金具の底面と、前記支柱側上段金具または前記アンテナ側上段金具の少なくともいずれか一方の金具の底面とには、それぞれ、金具落下防止ボルト受け片が立設されており、各金具落下防止ボルト受け片には、それぞれ、支柱とアンテナとを含む平面に対し平行方向を向く金具落下防止ボルトを通すための金具落下防止ボルト孔が形成されていることを特徴とする。
ここで、前記金具落下防止ボルト受け片は、それぞれ、前記調節金具の底面と、前記支柱側上段金具または前記アンテナ側上段金具の少なくともいずれか一方の金具の底面を切り起こして設け、その金具落下防止ボルト受け片を切り起こした後に金具落下防止ボルトを回転させる工具が通る開口部を設けたると良い。
また、前記金具落下防止ボルトに螺合する金具落下防止ナットが取り付けられる側の金具落下防止ボルト受け片には、その金具落下防止ボルト受け片の端部に当接して回転を防止する回転防止金具を介し金具落下防止ナットを金具落下防止ボルトに螺合させてその金具落下防止ナットが回転しないようにし、前記金具落下防止ボルトの頭部側を回転させるようにするとさらに良い。
また、前記調節金具の両側面と、前記アンテナ側上段金具の両側面とに、それぞれ、複数の角度設定用ボルト孔が形成されている一方、前記調節金具の底面と、前記アンテナ側上段金具の底面とには、それぞれ、金具落下防止ボルト受け片が立設されており、各金具落下防止ボルト受け片には、それぞれ、前記金具落下防止ボルト孔が形成されているとさらに良い。
また、前記調節金具の両側面と、前記支柱側上段金具の両側面とに、それぞれ、複数の角度設定用ボルト孔が形成されている一方、前記調節金具の底面と、前記支柱側上段金具の底面とには、それぞれ、金具落下防止ボルト受け片が立設されており、各金具落下防止ボルト受け片には、それぞれ、前記角度設用金具落下防止ボルト孔が形成されているとさらに良い。
【発明の効果】
【０００９】
本発明のアンテナ用チルト上段金具は、支柱側上段金具と、調節金具と、アンテナ側上段金具の３部材からなり、調節金具の底面と、支柱側上段金具またはアンテナ側上段金具の少なくともいずれか一方の金具の底面に設けた金具落下防止ボルト受け片に金具落下防止ボルトを通した後、調節金具の両側面と支柱側上段金具またはアンテナ側上段金具の少なくともいずれか一方の金具の両側面に設けた角度設定用ボルト孔にボルトを通して支柱に対するアンテナの設置角度を調整できるため、作業性や安全性を損なうことなく支柱に対するアンテナの設置角度を大きく設定することができる。
【図面の簡単な説明】
【００１０】
【図１】本発明に係る実施形態１のアンテナ用チルト上段金具とアンテナ用チルト下段金具を使用して支柱に任意の角度でアンテナを取り付けた状態を示す斜視図である。
【図２】（ａ），（ｂ）それぞれ実施形態１のアンテナ用チルト上段金具の最大設定角度での連結状態を示す平面図、Ａ−Ａ線断面図である。
【図３】（ａ），（ｂ）それぞれ実施形態１のアンテナ用チルト上段金具の最小設定角度での連結状態を示す平面図、Ｂ−Ｂ線断面図である。
【図４】実施形態１のアンテナ用チルト上段金具を構成する支柱側上段金具の斜視図である。
【図５】（ａ）〜（ｃ）それぞれ実施形態１のアンテナ用チルト上段金具を構成する支柱側上段金具の平面図、正面図、右側面図である。
【図６】実施形態１のアンテナ用チルト上段金具を構成するアンテナ側上段金具の斜視図である。
【図７】（ａ）〜（ｃ）それぞれ実施形態１のアンテナ用チルト上段金具を構成するアンテナ側上段金具の平面図、Ｃ−Ｃ線断面図、右側面図である。
【図８】（ａ）〜（ｃ）それぞれ実施形態１のアンテナ用チルト上段金具を構成する調節金具の平面図、Ｄ−Ｄ線断面図、右側面図である。
【図９】（ａ），（ｂ）それぞれアンテナ用チルト下段金具の構成を示す平面図、正面図である。
【図１０】実施形態１のアンテナ用チルト上段金具とアンテナ用チルト下段金具とを用いて支柱に対しアンテナを最小設定角度で取り付けた例を示す正面図である。
【図１１】実施形態１のアンテナ用チルト上段金具とアンテナ用チルト下段金具とを用いて支柱に対しアンテナを最大設定角度で取り付けた例を示す正面図である。
【図１２】（ａ），（ｂ）それぞれ実施形態２のアンテナ用チルト上段金具の最大設定角度での連結状態を示す平面図、Ｅ―Ｅ線断面図である。
【図１３】（ａ），（ｂ）それぞれ実施形態２のアンテナ用チルト上段金具の最小設定角度での連結状態を示す平面図、Ｆ−Ｆ線断面図である。
【図１４】（ａ）〜（ｃ）それぞれ実施形態２のアンテナ用チルト上段金具を構成する支柱側上段金具の平面図、Ｇ−Ｇ線断面図、右側面図である。
【図１５】（ａ）〜（ｃ）それぞれ実施形態２のアンテナ用チルト上段金具を構成する調節金具の平面図、Ｈ−Ｈ線断面図、左側面図である。
【図１６】実施形態２のアンテナ用チルト上段金具とアンテナ用チルト下段金具とを用いて支柱に対しアンテナを最小設定角度で取り付けた例を示す正面図である。
【図１７】実施形態２のアンテナ用チルト上段金具とアンテナ用チルト下段金具とを用いて支柱に対しアンテナを最大設定角度で取り付けた例を示す正面図である。
【図１８】（ａ）〜（ｃ）それぞれ実施形態２のアンテナ用チルト上段金具を構成する他の調節金具の平面図、Ｉ−Ｉ線断面図、左側面図である。
【発明を実施するための形態】
【００１１】
以下、本発明にかかるアンテナ用チルト上段金具１，２の実施形態について、図面を参照して説明する。
【００１２】
実施形態１．
＜実施形態１のアンテナ用チルト上段金具１の構成＞
実施形態１のアンテナ用チルト上段金具１は、図１に示すように支柱２に所定の角度でアンテナ３を取り付けるためアンテナ用チルト下段金具４と共に用いられるもので、図２に示すように、支柱側上段金具１１と、アンテナ側上段金具１２と、調節金具１３とから構成されている。なお、支柱側上段金具１１と、アンテナ側上段金具１２と、調節金具１３以外の構成は、後述するように上述の特許文献１（特開２０１１−７１６１８号公報）や特許文献２（特開２０１２−３４０８８号公報）に開示されている。
【００１３】
支柱側上段金具１１は、図１等に示すように支柱２に固定された支柱側上段補助金具２１に取り付けられる金具で、図４や図５等に示すように両側面１１ａ，１１ａとその間に底面１１ｂを有する断面コ字状に構成され、両側面１１ａ，１１ａには、それぞれ調節金具１３と連結するための連結用ボルト孔１１ａ１，１１ａ２が形成されており、図２（ａ），（ｂ）や図３（ａ），（ｂ）等に示すように連結用ボルト５ｃが通されてダブルナットの連結用ナット５ｄによって締付けて固定される。なお、図２（ａ），（ｂ）は、実施形態１のアンテナ用チルト上段金具１において最大設定角度で連結した状態を示す一方、図３（ａ），（ｂ）は、最小設定角度で連結した状態で、アンテナ側上段金具１２と調節金具１３とを角度設定用ボルト５ａおよび角度設定用ナット５ｂによって固定する前の状態であるが、金具落下防止ボルト６ａと金具落下防止ナット６ｂによってアンテナ側上段金具１２と調節金具１３とを連結した状態を示している。
【００１４】
また、図５（ａ）等に示すように支柱側上段金具１１の底面１１ｂには、支柱２に取り付けられた支柱側上段補助金具２１に対し支柱２の円周方向（外周方向）に角度を設定するための複数のボルト孔１１ｂ３〜１１ｂ６が形成されている。なお、これらのボルト孔１１ｂ３〜１１ｂ６の使用方法や支柱側上段補助金具２１との連結は、上述の特許文献１（特開２０１１−７１６１８号公報）や特許文献２（特開２０１２−３４０８８号公報）に開示されている。
【００１５】
アンテナ側上段金具１２は、図１等に示すようにアンテナ３に固定されたアンテナ側上段補助金具３１に取り付けられる金具で、図６や図７等に示すように、両側面１２ａ，１２ａとその間に底面１２ｂを有する断面コ字状に構成され、支柱２に対しアンテナ３を所定角度毎に取り付けるため所定間隔毎に、支柱２とアンテナ３とを含む平面に対し垂直方向を向く２本の角度設定用ボルト５ａを通す複数（ここでは、例えば、１１個とする。）の角度設定用ボルト孔１２ａ１，１２ａ１，・・・が形成されていると共に、その両側面１２ａ，１２ａの後端には、アンテナ３側に設けられたアンテナ側上段補助金具３１と連結するためのアンテナ金具側連結ボルト孔１２ａ２，１２ａ２が２個ずつ上下に形成されている。なお、角度設定用ボルト５ａはダブルナットの角度設定用ナット５ｂによって締結される。また、アンテナ側上段補助金具３１については、上述の特許文献１（特開２０１１−７１６１８号公報）や特許文献２（特開２０１２−３４０８８号公報）に開示されている。
【００１６】
そして、このアンテナ側上段金具１２の底面１２ｂには、図７（ａ）〜（ｃ）に示すようにその底面１２ｂを切り起こして（切り下げて）、金具落下防止ボルト受け片１２ｂ１が立設されており、その金具落下防止ボルト受け片１２ｂ１には、支柱２とアンテナ３とを含む平面に対し平行方向、すなわち角度調整方向を向く金具落下防止ボルト６ａが通される金具落下防止ボルト孔１２ｂ１１が形成されている。
【００１７】
ここで、アンテナ側上段金具１２の底面１２ｂから金具落下防止ボルト受け片１２ｂ１を切起こすことにより、開口部１２ｂ２が形成されるが、この開口部１２ｂの大きさは、金具落下防止ボルト６ａのボルト頭部などをラチェットレンチ等の工具を回転させるのに不都合でない大きさとする。
【００１８】
また、図２や図３に示すように金具落下防止ボルト６ａに螺合する金具落下防止ナット６ｂが取り付けられる金具落下防止ボルト受け片１２ｂ１には、その金具落下防止ボルト受け片１２ｂ１の端部に当接して金具落下防止ナット６ｂの回転を防止する回転防止金具８を設け、金具落下防止ボルト６ａの頭部側を回転させて締め付け固定するように構成している。
【００１９】
調節金具１３は、図１等に示すように支柱２に対するアンテナ３の取付け角度を調整しながら支柱側上段金具１１とアンテナ側上段金具１２とを連結する金具で、図８（ａ）〜（ｃ）に示すように、両側面１３ａ，１３ａとその間に底面１３ｂを有する断面コ字状からなり、支柱２に対しアンテナ３を所定角度毎に取り付けるため所定間隔毎に、支柱２とアンテナ３とを含む平面に対し垂直方向を向く２本の角度設定用ボルト５ａが通される複数（ここでは、例えば、７個とする。）の角度設定用ボルト孔１３ａ１，１３ａ１，・・・が形成されていると共に、その両側面１３ａ，１３ａの後端には、支柱側上段金具１１と連結するための支柱金具側連結ボルト孔１３ａ２，１３ａ２が２個ずつ上下に形成されている。
【００２０】
そして、この調節金具１３の底面１３ｂには、図８（ａ）〜（ｃ）に示すようにその底面１３ｂを切り起こして（切り下げて）、金具落下防止ボルト受け片１３ｂ１が立設されており、その金具落下防止ボルト受け片１３ｂ１には、支柱２とアンテナ３とを含む平面に対し平行方向、すなわち角度調整方向を向く金具落下防止ボルト６ａが通される金具落下防止ボルト孔１３ｂ１１が形成されている。
【００２１】
ここで、調節金具１３の底面１３ｂから金具落下防止ボルト受け片１３ｂ１を切起こすことにより、開口部１３ｂ２が形成されるが、この開口部１３ｂ２の大きさきさは、金具落下防止ボルト６ａのボルト頭部などをラチェットレンチ等の工具を回転させるのに不都合でない大きさとする。
【００２２】
また、調節金具１３の底面１３ｂの開口部１３ｂの近傍には、図２に示すように金具落下防止ボルト６ａの脱落を防止するボルト脱落防止金具１４を取り付けるためのボルト孔１３ｂ３が設けられている。ただし、ボルト脱落防止金具１４は任意であり、省略可能であり、ボルト脱落防止金具１４を省略した場合には、ボルト孔１３ｂ３も省略できる。
【００２３】
＜アンテナ用チルト下段金具４の構成（実施形態１，２共通）＞
【００２４】
アンテナ用チルト下段金具１は、図１等に示すように支柱２に所定の角度でアンテナ３を取り付けるため図１〜図７に示すように構成されたアンテナ用チルト上段金具１とは一定の数メートルの距離を離してアンテナ用チルト上段金具１の下方に設けられるもので、図９（ａ），（ｂ）に示すように支柱側下段金具４１と、アンテナ側下段金具４２とから構成されている。
【００２５】
支柱側下段金具４１は、図１等に示すように支柱側上段金具１１の下方で支柱２に固定された支柱側下段補助金具２２に取り付けられる金具で、両側面４１ａ，４１ａとその間に底面４１ｂを有する断面コ字状に構成され、両側面４１ａ，４１ａには、それぞれアンテナ側下段金具４２と連結するための１つの連結用ボルト孔が形成されており、図９（ａ），（ｂ）等に示すように連結用ボルト５ｃが通されて連結用ナット５ｄによって締付けて固定される。
【００２６】
アンテナ側下段金具４２は、図１等に示すようにアンテナ側上段金具３１の下方でアンテナ３に固定されたアンテナ側下段補助金具３２に取り付けられる金具で、両側面４２ａ，４２ａとその間に底面４２ｂを有する断面コ字状に構成され、支柱側下段金具４１と連結するための１の連結用ボルト孔が形成されている一方、その両側面４２ａ，４２ａの後端には、アンテナ３側に設けられたアンテナ側下段金具３２と連結するためのアンテナ金具側連結ボルト孔が２個ずつ上下に形成されている。
【００２７】
＜実施形態１のアンテナ用チルト上段金具１の使用例１（最小設定角度で取り付けた例）＞
図１０は、実施形態１のアンテナ用チルト上段金具１とアンテナ用チルト下段金具４とを用いて支柱２に対しアンテナ３を最小設定角度で取り付けた例を示す正面図である。
【００２８】
この場合、支柱側金具１１と、アンテナ側金具１２と、調節金具１３とは、図１０に示すように連結され、アンテナ側金具１２と調節金具１３との重なりが最大になって、支柱２に対しアンテナ３を最小設定角度で取り付けることができる。
【００２９】
そのため、アンテナ側上段金具１２の金具落下防止ボルト受け片１２ｂ１と、調節金具１３の金具落下防止ボルト受け片１３ｂ１とが最大限近接することになり、金具落下防止ボルト６ａのボルト頭部とその金具落下防止ナット６ｂが最大限近接することになる。
【００３０】
＜実施形態１のアンテナ用チルト上段金具１の使用例２（最大設定角度で取り付けた例）＞
図１１は、実施形態１のアンテナ用チルト上段金具１とアンテナ用チルト下段金具４とを用いて支柱２に対しアンテナ３を最大設定角度で取り付けた例を示す正面図である。
【００３１】
この場合、支柱側金具１１と、アンテナ側金具１２と、調節金具１３とは、図１１に示すように連結され、アンテナ側金具１２と調節金具１３との重なりが最小になって、支柱２に対しアンテナ３を最大角度で取り付けることができる。
【００３２】
そのため、アンテナ側上段金具１２に設けられた金具落下防止ボルト受け片１２ｂ１と、調節金具１３の金具落下防止ボルト受け片１３ｂ１とは最大限離間することになり、金具落下防止ボルト６ａのボルト頭部とその金具落下防止ナット６ｂが最大限離間することになる。
【００３３】
その際、アンテナ側上段金具１２に設けられた金具落下防止ボルト受け片１２ｂ１と、調節金具１３の金具落下防止ボルト受け片１３ｂ１とは金具落下防止ボルト６ａと金具落下防止ナット６ｂによって落下しないように連結されているため、作業性や安全性を損なうことなく支柱２に対するアンテナ３の設置角度を大きく設定することができる。
【００３４】
従って、本実施形態１のアンテナ用チルト上段金具１は、支柱側金具１１と、アンテナ側金具１２と、調節金具１３等の３部材を有し、アンテナ側金具１２と調節金具１３の両側面１２ａ，１２ａ、１３ａ，１３ａに設けた複数の角度設定用ボルト孔１２ａ１，１２ａ１，・・・、１３ａ１，１３ａ１，・・・で所望の角度設定用ボルト孔の位置を合わせ、角度設定用ボルト５ａを挿入し角度設定用ナット５ｂによって締付け固定することによって支柱２に対するアンテナ３の取付け角度を大きく設定できる。
【００３５】
その際、アンテナ側金具１２と調節金具１３には、それぞれ、金具落下防止ボルト受け片１２ｂ１と金具落下防止ボルト受け片１３ｂ１とが設けられており、金具落下防止ボルト受け片１２ｂ１と金具落下防止ボルト受け片１３ｂ１とには、金具落下防止ボルト６ａを装着できるように構成したため、アンテナ側金具１２の両側面１２ａ，１２ａと調節金具１３の両側面１３ａ，１３ａに設けた複数の角度設定用ボルト孔１２ａ１，１２ａ１，・・・、１３ａ１，１３ａ１，・・・で支柱２に対するアンテナ３の取付け角度を設定する際に、金具落下防止ボルト受け片１２ｂ１の金具落下防止ボルト孔１２ｂ１１と金具落下防止ボルト受け片１３ｂ１の金具落下防止ボルト孔１３ｂ１１に金具落下防止ボルト６ａを挿入して金具落下防止ナット６ｂを装着しておくことにより、図２や図３等に示すように複数の角度設定用ボルト孔１２ａ１，１２ａ１，・・・、１３ａ１，１３ａ１，・・・に角度設定用ボルト５ａを挿入する前でも、アンテナ側金具１２と調節金具１３の落下を防止することができ、作業性や安全性を損なうことなく支柱２に対するアンテナ３の設置角度を大きく設定することができる。
【００３６】
特に、このアンテナ用チルト上段金具１は、アンテナ用チルト下段金具４と数メートル離れており、このアンテナ用チルト上段金具１を支柱２やアンテナ３に取り付ける場合やアンテナ３の設定角度を調整する場合には、支柱２やアンテナ３の間に設置したアンテナ用チルト下段金具４の上に作業者が立って作業するため、金具落下防止ボルト受け片１２ｂ１の金具落下防止ボルト孔１２ｂ１１と金具落下防止ボルト受け片１３ｂ１の金具落下防止ボルト孔１３ｂ１１に金具落下防止ボルト６ａを挿入して金具落下防止ナット６ｂを装着しておくことにより、複数の角度設定用ボルト孔１２ａ１，１２ａ１，・・・、１３ａ１，１３ａ１，・・・に角度設定用ボルト５ａを挿入する前でも、アンテナ側金具１２と調節金具１３の落下を確実に防止して安全に作業を進めることができるだけでなく、作業性を向上させることができる。
【００３７】
また、図１０や図１１に示すように、金具落下防止ボルト６ａのボルト頭部やボルト先端部も，外部に突出しないので、この点でも、支柱２に対しアンテナ３を取り付ける際の取付作業性が向上する。
【００３８】
実施形態２．
＜実施形態２のアンテナ用チルト上段金具１’の構成＞
実施形態２のアンテナ用チルト上段金具１’は、図１に示す実施形態２のアンテナ用チルト上段金具１’と同様に支柱２に所定の角度でアンテナ３を取り付けるため実施形態１で使用したアンテナ用チルト下段金具４と共に用いられるもので、図１２（ａ），（ｂ）や図１３（ａ），（ｂ）に示すように、支柱側上段金具１１’と、実施形態１と同様のアンテナ側上段金具１２と、調節金具１３’とから構成されている。
【００３９】
支柱側上段金具１１’は、図４や図５等に示す実施形態１の支柱側上段金具１１と同様に支柱２に取り付けられる金具で、両側面１１ａ’，１１ａ’とその間に底面１１ｂを有する断面コ字状に構成され、両側面１１ａ’，１１ａ’には、それぞれ調節金具１３’と連結するための連結用ボルト孔１１ａ１’，１１ａ２’が形成されており、図１２（ａ），（ｂ）や図１３（ａ），（ｂ）に示すように連結用ボルト５ｃが通されて連結用ナット５ｄによって締付けて固定される。なお、図１２（ａ），（ｂ）は、実施形態２のアンテナ用チルト上段金具１’において最大設定角度で連結した状態を示す一方、図１３（ａ），（ｂ）は、最小設定角度で連結した状態で、支柱側上段金具１１’と調節金具１３’とを角度設定用ボルト５ａおよび角度設定用ナット５ｂによって固定する前の状態であるが、金具落下防止ボルト６ａと金具落下防止ナット６ｂによって支柱側上段金具１１’と調節金具１３’とを連結した状態を示している。
【００４０】
そして、この支柱側上段金具１１’の底面１１ｂ’には、図１４（ａ）〜（ｃ）に示すようにその底面１１ｂ’を切り起こして、金具落下防止ボルト受け片１１ｂ１’が立設されており、その金具落下防止ボルト受け片１１ｂ１’には、支柱２とアンテナ３とを含む平面に対し平行方向、すなわち角度調整方向を向く金具落下防止ボルト６ａが通される金具落下防止ボルト孔１１ｂ１１’が形成されている。
【００４１】
ここで、支柱側上段金具１１’の底面１１ｂ’から金具落下防止ボルト受け片１１ｂ１’を切起こすことにより、開口部１１ｂ２’が形成されるが、この開口部１１ｂ２’の大きさは、金具落下防止ボルト６ａのボルト頭部などをラチェットレンチ等の工具を回転させるのに不都合でない大きさとする。
【００４２】
また、図１２（ａ）等に示すように支柱側上段金具１１’の底面１１ｂ’には、支柱２に取り付けられた支柱側上段補助金具２１に対し支柱２の円周方向（外周方向）に角度を設定するための複数のボルト孔１１ｂ３’〜１１ｂ６’が形成されている。なお、これらのボルト孔１１ｂ３’〜１１ｂ６ ’の使用方法や支柱側上段補助金具２１との連結は、上述の特許文献１（特開２０１１−７１６１８号公報）や特許文献２（特開２０１２−３４０８８号公報）に開示されている。
【００４３】
アンテナ側上段金具１２は、図５および図６に示す実施形態１のものと同じものである。
【００４４】
調節金具１３’は、支柱２に対するアンテナ３の取付け角度を調整しながら支柱側上段金具１１’とアンテナ側上段金具１２とを連結する金具で、図１５（ａ）〜（ｃ）に示すように、両側面１３ａ’，１３ａ’とその間に底面１３ｂ’を有する断面コ字状からなり、支柱２に対しアンテナ３を所定角度毎に取り付けるため所定間隔毎に、支柱２とアンテナ３とを含む平面に対し垂直方向を向く２本の角度設定用ボルト５ａが通される複数（ここでは、例えば、１０個とする。）の角度設定用ボルト孔１３ａ１’，１３ａ１’，・・・が形成されていると共に、その両側面１３ａ’，１３ａ’の後端側（図１３上、右側）には、アンテナ側上段金具１２と連結するためのアンテナ金具側連結ボルト孔１３ａ２’，１３ａ２’が２個に形成されている。
【００４５】
また、この調節金具１３’の両側面１３ａ’，１３ａ’には、金具落下防止ボルト６ａの脱落を防止するボルト脱落防止ボルト７ａを取り付けるためのボルト孔１３ａ３’が設けられている。ただし、ボルト脱落防止ボルト７ａは任意であり、省略可能であり、ボルト脱落防止ボルト７ａを省略した場合には、ボルト孔１３ａ３’も省略できる。
【００４６】
そして、この調節金具１３’の底面１３ｂ’には、図１５（ａ）〜（ｃ）に示すようにその底面１３ｂ’を切り起こして、金具落下防止ボルト受け片１３ｂ１’が立設されており、その金具落下防止ボルト受け片１３ｂ１’には、支柱２とアンテナ３とを含む平面に対し平行方向、すなわち角度調整方向を向く金具落下防止ボルト６ａが通される金具落下防止ボルト孔１３ｂ１１’が形成されている。
【００４７】
なお、図１２や図１３に示すように金具落下防止ボルト６ａに螺合する金具落下防止ナット６ｂが取り付けられる金具落下防止ボルト受け片１３ｂ１’には、その金具落下防止ボルト受け片１３ｂ１’の端部に当接して金具落下防止ナット６ｂの回転を防止する回転防止金具８を設け、金具落下防止ボルト６ａの頭部側を回転させて締め付け固定するように構成している。
【００４８】
ここで、調節金具１３’の底面１３ｂ’から金具落下防止ボルト受け片１３ｂ１’を切起こすことにより、開口部１３ｂ２’が形成されるが、この開口部１３ｂ２’の大きさきさは、金具落下防止ボルト６ａのボルト頭部などをラチェットレンチ等の工具を回転させるのに不都合でない大きさとする。
【００４９】
なお、実施形態１のところで説明したように、実施形態２の場合でも、アンテナ用チルト下段金具４の構成は、実施形態１のものと同じである。
【００５０】
そのため、この実施形態２のアンテナ用チルト上段金具１’によれば、図１６に示すように支柱側金具１１’と調節金具１３’との重なりを最大にして、支柱２に対しアンテナ３を最小設定角度で取り付けることができる。
【００５１】
その際、支柱側金具１１’の金具落下防止ボルト受け片１１ｂ１’と、調節金具１３’の金具落下防止ボルト受け片１３ｂ１’とが最大限近接することになり、金具落下防止ボルト６ａのボルト頭部とその金具落下防止ナット６ｂが最大限近接することになる。
【００５２】
その一方、図１７に示すように支柱側金具１１’と調節金具１３’との重なりを最小にして、支柱２に対しアンテナ３を最大設定角度で取り付けることができる。
【００５３】
その際、支柱側金具１１’の金具落下防止ボルト受け片１１ｂ１’と、調節金具１３’の金具落下防止ボルト受け片１３ｂ１’とが最大限離間することになり、金具落下防止ボルト６ａのボルト頭部とその金具落下防止ナット６ｂが最大限離間することになる。
【００５４】
その結果、角度設定用ボルト５ａと角度設定用ナット５ｂを取り付けて角度を設定する前の状態でも、支柱側金具１１’の金具落下防止ボルト受け片１１ｂ１’と、調節金具１３’の金具落下防止ボルト受け片１３ｂ１’とは金具落下防止ボルト６ａと金具落下防止ナット６ｂによって落下しないように連結されるため、作業性や安全性を損なうことなく支柱２に対するアンテナ３の設置角度を大きく設定することができる。
【００５５】
従って、本実施形態２のアンテナ用チルト上段金具１’によれば、支柱側金具１１’と、アンテナ側金具１２と、調節金具１３’等の３部材を有し、アンテナ側金具１２と調節金具１３’の両側面１２ａ，１２ａ、１３ａ’，１３ａ’に設けた複数の角度設定用ボルト孔１２ａ１，１２ａ１，・・・、１３ａ１’，１３ａ１’，・・・で所望の角度設定用ボルト孔の位置を合わせ、角度設定用ボルト５ａを挿入して角度設定用ナット５ｂによって締付け固定することによって支柱２に対するアンテナ３の取付け角度を大きく設定できる。
【００５６】
特に、実施形態２のアンテナ用チルト上段金具１’では、支柱側金具１１’と調節金具１３’にそれぞれ金具落下防止ボルト受け片１１ｂ１’と金具落下防止ボルト受け片１３ｂ１’を設け、金具落下防止ボルト６ａを装着できるように構成したため、支柱側金具１１’の両側面１１ａ’，１１ａ’と調節金具１３’の両側面１３ａ１’，１３ａ１’に設けた複数の角度設定用ボルト孔１１ａ１’，１１ａ１’，・・・、１３ａ１’，１３ａ１’，・・・で支柱２に対するアンテナ３の取付け角度を設定する際に、金具落下防止ボルト受け片１１ｂ１’の金具落下防止ボルト孔１１ｂ１１’と金具落下防止ボルト受け片１３ｂ１’の金具落下防止ボルト孔１３ｂ１１’に金具落下防止ボルト６ａを挿入して金具落下防止ナット６ｂを装着しておくことにより、図１２や図１３等に示すように、複数の角度設定用ボルト孔１１ａ１’，１１ａ１’，・・・、１３ａ１’，１３ａ１’，・・・に角度設定用ボルト５ａを挿入する前でも、支柱側金具１１’と調節金具１３’の落下を防止して、作業性や安全性を損なうことなく支柱２に対するアンテナ３の設置角度を大きく設定することができる。
【００５７】
また、この実施形態２のアンテナ用チルト上段金具１’では、調節金具１３’の両側面１３ａ’，１３ａ’に金具落下防止ボルト６ａの脱落を防止するボルト脱落防止ボルト７ａを取り付けるためのボルト孔１３ａ３’を設けたため、金具落下防止ボルト６ａをナットで締付ける前でもボルト脱落防止ボルト７ａによって脱落を防止できる。
【００５８】
なお、前記実施形態２の説明では、図１５（ａ）〜（ｃ）等に示す調節金具１３’を一例に説明したが、本発明では、これに限らず、調節金具１３’の代わりに、調節金具１３’よりも長い図１８（ａ）〜（ｃ）に示す調節金具１３”を使用し支柱側金具１１’とアンテナ側金具１２との間を連結して、図１５（ａ）〜（ｃ）等に示す調節金具１３’を使用した場合よりも、より大きな設定角度でアンテナ３を取り付けるようにしても勿論良い。
【符号の説明】
【００５９】
１，１’  アンテナ用チルト上段金具
１１，１１’  支柱側上段金具
１１ａ，１１ａ’  側面
１１ｂ，１１ｂ’  底面
１１ｂ１’  金具落下防止ボルト受け片
１１ｂ１１’  金具落下防止ボルト孔
１２ｂ２  開口部
１２  アンテナ側上段金具
１２ａ  側面
１２ｂ  底面
１２ａ１  角度設定用ボルト孔
１２ａ２  アンテナ金具側連結ボルト孔
１２ｂ１  金具落下防止ボルト受け片
１２ｂ１１  金具落下防止ボルト孔
１２ｂ２  開口部
１３，１３’  調節金具
１３ａ，１３ａ’  側面
１３ｂ，１３ｂ’  底面
１３ａ１，１３ａ１’  角度設定用ボルト孔
１３ａ２，１３ａ２’  支柱金具側連結ボルト孔
１３ｂ１，１３ｂ１’  金具落下防止ボルト受け片
１３ｂ１１，１３ｂ１１’  金具落下防止ボルト孔
１３ｂ２  開口部
１４  ボルト脱落防止金具
２  支柱
２１  支柱側上段補助金具
２２  支柱側下段補助金具
３  アンテナ
３１  アンテナ側上段補助金具
３２  アンテナ側下段補助金具
４  アンテナ用チルト下段金具
４１  支柱側下段金具
４２  アンテナ側下段金具
５ａ  角度設定用ボルト
５ｂ  角度設定用ナット
５ｃ  連結用ボルト
５ｄ  連結用ナット
６ａ  金具落下防止ボルト
６ｂ  金具落下防止ナット
７  ボルト脱落防止ボルト
８  回転防止金具
【図１】
2015115619.tif 000003
【図２】
2015115619.tif 000004
【図３】
2015115619.tif 000005
【図４】
2015115619.tif 000006
【図５】
2015115619.tif 000007
【図６】
2015115619.tif 000008
【図７】
2015115619.tif 000009
【図８】
2015115619.tif 000010
【図９】
2015115619.tif 000011
【図１０】
2015115619.tif 000012
【図１１】
2015115619.tif 000013
【図１２】
2015115619.tif 000014
【図１３】
2015115619.tif 000015
【図１４】
2015115619.tif 000016
【図１５】
2015115619.tif 000017
【図１６】
2015115619.tif 000018
【図１７】
2015115619.tif 000019
【図１８】
2015115619.tif 000020